(57)【要約】【課題】媒体の画像を安定して読み取ることができる読み取り端末保持具を提供する。【解決手段】端末保持具１０は、認証画像２を有するカード１を保持するカード保持部３０と、カード保持部３０に保持されたカード１の認証画像２の画像を読み取る端末５を保持する端末保持部２０と、を備える。【選択図】図１
0003197500.tif 000002
【実用新案登録請求の範囲】
【請求項１】
媒体を保持する媒体保持部と、
前記媒体保持部に保持された媒体の画像を読み取る読み取り端末を保持する端末保持部と、
を備える読み取り端末保持具。
【請求項２】
請求項１に記載の読み取り端末保持具において、
前記画像は、媒体の特定箇所に設けられた認証用の画像であること、
を特徴とする読み取り端末保持具。
【請求項３】
請求項１又は請求項２に記載の読み取り端末保持具において、
前記画像は、観察方向に対応した画像が観察されるものであり、
前記端末保持部が保持する読み取り端末の読み取り方向は、前記媒体保持部に保持された媒体の前記画像の観察方向であること、
を特徴とする読み取り端末保持具。
【請求項４】
請求項１から請求項３のいずれかに記載の読み取り端末保持具において、
前記端末保持部は、読み取り端末の傾斜角度を調整することにより、読み取り方向を前記媒体保持部に保持された媒体の前記画像の観察方向に調整する端末角度調整部を備えること、
を特徴とする読み取り端末保持具。
【請求項５】
請求項１から請求項４のいずれかに記載の読み取り端末保持具において、
前記画像は、光の照射方向に対応した画像が観察されるものであり、
前記媒体保持部に保持された媒体の前記画像に対して、前記照射方向に光を照射する光源を備えること、
を特徴とする読み取り端末保持具。
【考案の詳細な説明】
【技術分野】
【０００１】
本考案は、読み取り端末を保持する読み取り端末保持具に関するものである。
【背景技術】
【０００２】
従来、画像が記録されたカードがあった（例えば特許文献１）。
しかし、カードの画像を読み取り端末で読み取ろうとすると、読み取り端末と、カードの画像との位置が安定しないため、作業性が悪かった。
【先行技術文献】
【特許文献】
【０００３】
【特許文献１】特開２００４−２６１６０３号公報
【考案の概要】
【考案が解決しようとする課題】
【０００４】
本考案の課題は、媒体の画像を安定して読み取ることができる読み取り端末保持具を提供することである。
【課題を解決するための手段】
【０００５】
本考案は、以下のような解決手段により、前記課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
・第１の考案は、媒体（１，２０１）を保持する媒体保持部（３０）と、前記媒体保持部に保持された媒体の画像を読み取る読み取り端末（５）を保持する端末保持部（２０）と、を備える読み取り端末保持具である。
・第２の考案は、第１の考案の読み取り端末保持具において、前記画像（２）は、媒体の特定箇所（１，２０１）に設けられた認証用の画像であること、を特徴とする読み取り端末保持具である。
・第３の考案は、第１又は第２の考案の読み取り端末保持具において、前記画像（２）は、観察方向（θ２）に対応した画像が観察されるものであり、前記端末保持部（２０）が保持する読み取り端末の読み取り方向（Ｏ）は、前記媒体保持部（３０）に保持された媒体（１，２０１）の前記画像の観察方向であること、を特徴とする読み取り端末保持具である。
・第４の考案は、第１から第３のいずれかの考案の読み取り端末保持具において、前記端末保持部は、読み取り端末の傾斜角度を調整することにより、読み取り方向を前記媒体保持部に保持された媒体の前記画像の観察方向に調整する端末角度調整部を備えること、を特徴とする読み取り端末保持具である。
・第５の考案は、第１から第４のいずれかの考案の読み取り端末保持具において、前記画像は、光の照射方向に対応した画像が観察されるものであり、前記媒体保持部に保持された媒体の前記画像に対して、前記照射方向に光を照射する光源を備えること、を特徴とする読み取り端末保持具である。
【考案の効果】
【０００７】
本考案によれば、媒体の画像を安定して読み取ることができる読み取り端末保持具を提供できる。
【図面の簡単な説明】
【０００８】
【図１】第１実施形態の端末保持具１０の斜視図である。
【図２】第１実施形態の端末保持具１０の三面図である。
【図３】第１実施形態の端末保持具１０の断面図である。
【図４】第２実施形態の端末保持具２１０の斜視図である。
【考案を実施するための形態】
【０００９】
（実施形態）
以下、図面等を参照して、本考案の実施形態について説明する。
（第１実施形態）
図１は、第１実施形態の端末保持具１０の斜視図である。
図２は、第１実施形態の端末保持具１０の三面図である。
図３は、第１実施形態の端末保持具１０の断面図（図２（Ａ）の３−３部断面図）である。
図面には、カード１、端末５を適宜二点鎖線で示した。また、図２は、カード１の図示を省略した。
実施形態、図面では、説明と理解を容易にするために、ＸＹＺ直交座標系を設けて説明する。この座標系は、図１の斜視図を基準に、左右方向Ｘ、奥行方向Ｙ、鉛直方向Ｚを表す。
【００１０】
端末保持具１０（読み取り端末保持具）は、カード１（媒体）の画像を読み取るために、カード１、端末５を保持する装置である。
図１、図３に示すように、カード１は、上面の手前側Ｙ１かつ右側Ｘ２寄りの領域（特定位置）に、認証画像２を備える。
認証画像２は、観察方向に対応した画像が観察されるものである。つまり、認証画像２の画像は、例えば、カード１の正面から観察される画像と、斜めから観察される画像とが異なる。このような画像は、例えば、ホログラム、シート状のレンチキュラーレンズ等によって表現されるものである。また、このような画像は、特許第４６０４２０９号公報に記載の情報担持体によって表現できるものでもよい。
【００１１】
以下、斜めから観察される画像を、斜め観察画像ともいう。
斜め観察画像は、例えば、絵柄、文字、記号等である。
図３に示すように、斜め観察画像を観察できる観察角度（認証画像２に直交する軸からの角度）の範囲θ２は、実施形態では、３０〜４５度程度である。
【００１２】
図２に示すように、端末５は、カメラ機能を備える情報端末である。端末５は、例えば、携帯電話機、多機能型電話機（スマートフォンともいう）、タブレット型パーソナルコンピュータ等である。
端末５は、上面にタッチパネルディスプレイ６を備え、下面にレンズ７を備える。
【００１３】
端末保持具１０は、樹脂等によって形成される。端末保持具１０は、机上等に載置された状態で使用される。
図１から図３に示すように、端末保持具１０は、底部１１、奥壁部１２、右壁部１３、左壁部１４、中壁部１５、中壁部１６、突起１７、端末保持部２０、カード保持部３０（媒体保持部）を備える。
なお、実施形態において、「保持」の概念は、斜め観察画像を読み取り可能な程度に、端末５の位置を保ち、また、カード１の位置を保つことを含む。
【００１４】
奥壁部１２、右壁部１３、左壁部１４、中壁部１５、中壁部１６は、底部１１に設けられた立壁である。奥壁部１２、右壁部１３、左壁部１４は、それぞれ底部１１の奥辺部、右辺部、左辺部に設けられている。左壁部１４、中壁部１５、中壁部１６は、連続した壁である。右壁部１３及び中壁部１６は、中壁部１５に対して手前側Ｙ１から接続する。
中壁部１５は、左右方向Ｘに平行な壁である。
中壁部１６は、奥行方向Ｙに平行な壁である。
突起１７は、右壁部１３から内側に向けて突出するように設けられている。なお、突起１７は、突出量が十分に小さく、端末保持部２０に保持された端末５のレンズ７の撮影画角θ７（後述する）の範囲外に位置する。
【００１５】
図１、図３に示すように、端末保持部２０は、端末５を保持する部分である。
端末保持部２０は、端末保持溝２１、右壁部１３の内側面２２、端末保持斜面２３を備える。
端末保持溝２１は、底部１１、奥壁部１２、中壁部１５に囲まれて形成される。端末保持溝２１の右側Ｘ２は、右壁部１３によって塞がれており、一方、端末保持溝２１の左側Ｘ１は、開口している。
端末保持斜面２３は、左壁部１４、中壁部１５、中壁部１６、突起１７の上面である。これらの上面は、同一面である。端末保持斜面２３は、手前側Ｙ１から奥側Ｙ２に至るに従って下側Ｚ１に傾斜している。
【００１６】
端末保持部２０は、以下のように、端末５を保持する。
図３に示すように、左右方向Ｘから見た断面において、端末保持溝２１の内面（奥壁部１２の内側面及び底部１１の上面）と、端末５の奥側端部とは、当接する（当接部２１ａ，２１ｂ参照）。また、端末保持斜面２３は、端末５の下面に当接する。この場合、端末保持斜面２３の手前端部と、端末５とが、当接するようにすると（当接部２３ａ参照）、端末５の姿勢が安定する。これにより、端末保持部２０は、端末５を傾斜した状態で保持する。
図２に示すように、左右方向Ｘにおいて、端末５の右端部と、右壁部１３の内側面２２とは、当接する。これにより、端末保持部２０は、端末５の左右方向Ｘの位置を保持する。
【００１７】
利用者は、端末５を端末保持具１０に保持する場合には、例えば、端末５の奥側Ｙ２を端末保持溝２１に収容しながら端末５を手前側Ｙ１に倒した後、端末５を右側Ｘ２にスライドさせればよい。これにより、端末保持部２０は、端末５を前述したように保持できる。このように、端末５を保持する作業は、容易である。
【００１８】
図１、図３に示すように、カード保持部３０は、カード１を保持する部分である。
カード保持部３０は、２つのカード保持溝３１、中壁部１５の手前側面３２を備える。
一方のカード保持溝３１は、右壁部１３及び底部１１の接続部に設けられている。他方のカード保持溝３１は、中壁部１６及び底部１１の接続部に設けられている。
カード保持溝３１の手前側Ｙ１は、手前側Ｙ１に開口している。
【００１９】
カード保持部３０は、２つのカード保持溝３１間に挿入されたカード１を、以下のように保持する。
図３に示すように、鉛直方向Ｚにおいて、カード保持溝３１の幅（図３に示す長さＬ３１Ｚ参照）は、カード１の厚さよりも、若干大きい。これにより、カード保持部３０は、カード１の左右方向Ｘの位置を保持する。
左右方向Ｘにおいて、カード保持溝３１の長さ（図２（Ｂ）に示す長さＬ３１Ｘ参照）と、カード１の左右方向Ｘとは、ほぼ等しい。これにより、カード保持部３０は、カード１の左右方向Ｘの位置を保持する。
また、奥行方向Ｙにおいて、カード１の奥側端部と、中壁部１５の手前側面３２は、当接する。これにより、カード保持部３０は、カード１の奥行方向Ｙの位置を保持する。
【００２０】
利用者は、カード１を端末保持具１０に保持する場合には、カード１を手前側Ｙ１から２つのカード保持溝３１間に挿入した後、カード１を奥側Ｙ２にスライドさせればよい。これにより、カード保持部３０は、カード１を前述したように保持できる。このように、カード１を保持する作業は、容易である。
【００２１】
図３に示すように、端末５が保持され、かつ、カード１が保持された状態において、端末５のレンズ７の光軸Ｏ（読み取り端末の読み取り方向）は、認証画像２の観察角度に対応した角度である。つまり、光軸Ｏと、認証画像２の法線方向の軸とがなす角は、観察角度の範囲θ２内である。
また、奥行方向Ｙにおいて、認証画像２は、レンズ７の撮影画角θ７内に配置される。左右方向Ｘにおいても同様に、認証画像２は、レンズ７の撮影画角θ７内に配置される（図示は省略する）。
これにより、端末５は、認証画像２の斜め観察画像を撮影し読み取ることにより、認証画像２を認証できる。
【００２２】
なお、利用者がタッチパネルディスプレイ６をタッチ操作する場合には、端末保持斜面２３のうち中壁部１５の上面が、端末５を下面から確実に支持する。このため、端末保持具１０は、端末５の操作時においても、端末５を安定して保持できるので、端末５の操作性を向上できる。
【００２３】
以上説明したように、本実施形態の端末保持具１０は、端末５、カード１を安定して保持できる。また、端末５、カード１を保持する作業は、容易である。これにより、利用者は、端末５、カード１を安定して保持させた状態で、カード１の画像を、容易に読み取ることができる。
【００２４】
（第２実施形態）
次に、本考案の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図４は、第２実施形態の端末保持具２１０の斜視図である。
端末保持具２１０は、第１実施形態からカード保持溝３１を削除したものである。
このため、カード２０１は、底部１１の上面に載置されることにより、端末保持具２１０に保持される。
【００２５】
このような形態でも、カード２０１、端末５が端末保持具２１０に保持されることにより、第１実施形態と同様に、端末５の光軸Ｏと、認証画像２の法線方向の軸とがなす角は、観察角度の範囲θ２内の状態となる（図３参照）。
このため、利用者は、端末５のレンズの撮影画角内に認証画像２が入るように、カード２０１を底部上を移動することにより、認証画像２の斜め観察画像を読み取ることができる。
【００２６】
これにより、本実施形態の端末保持具２１０は、特定の大きさのカード、認証画像２を特定位置に配したカード等に限定されず、より多くの種類のカードの画像を読み取ることができる。
【００２７】
以上、本考案の実施形態について説明したが、本考案は前述した実施形態に限定されるものではなく、例えば、後述する変形形態等のように種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。なお、前述した実施形態及び後述する変形形態は、適宜組み合わせて用いることもできるが、詳細な説明は省略する。
【００２８】
（変形形態）
（１）実施形態において、端末保持部は、端末の傾斜を一定にする例を示したが、これに限定されない。端末保持部は、例えば、端末保持斜面の傾斜を調整するヒンジ機構（端末角度調整部）を備えることにより、端末の傾斜角度を調整してもよい。この場合には、端末保持部は、斜め観察方向が異なる複数のカードに対応できる。
【００２９】
（２）カードの認証画像は、光の照射方向に対応した画像が観察されるものがある。端末保持具は、このようなカードの画像を読み取るために、カード保持部に保持されたカードの画像に対して、この照射方向に光を照射する光源を備えていてもよい。
【００３０】
（３）実施形態において、カードは、観察方向に対応した画像が観察される例を示したが、これに限定されない。カードは、例えば、通常の画像が印刷されたものであり、観察方向が変化しても観察される画像が変化しないものでもよい。この場合であっても、端末保持具は、端末、カードを保持することにより、画像を安定して読み取ることができる。
【符号の説明】
【００３１】
１，２０１…カード
２…認証画像 
６…タッチパネルディスプレイ
７…レンズ 
１０，２１０…端末保持具 
１１…底部 
１２…奥壁部
１３…右壁部 
１４…左壁部
１５,１６…中壁部 
１７…突起
２０…端末保持部 
２１…端末保持溝
２１ａ，２１ｂ，２３ａ…当接部 
２２…内側面
２３…端末保持斜面 
３０…カード保持部 
３１…カード保持溝 
３２…手前側面
【図１】
0003197500.tif 000003
【図２】
0003197500.tif 000004
【図３】
0003197500.tif 000005
【図４】
0003197500.tif 000006